(57)【要約】【課題】白色発光体をバックライトにして、カラー画像を表示するＬＣＤパネルの表示制御装置において、白色発光体の発光特性及びＬＣＤパネルの発色特性の少なくとも１つに対応した補正を可能にすること。【解決手段】白色発光体をバックライトにして、カラー画像を表示するＬＣＤパネルの表示制御装置１０は、ＬＣＤパネル５０の各画素毎の入力画像データ６２の値を、白色発光体の発光特性及びＬＣＤパネル５０の発色特性の少なくとも１つに基づき補正するための補正情報を記憶する補正情報記憶部３０と、前記補正情報に基づき、ＬＣＤパネル５０の各画素の入力画像データの値を補正する補正処理部２０と、補正後の入力画像データに基づいてＬＣＤパネルを駆動する電圧を制御するＬＣＤドライバ４０とを含む。【選択図】        図２
2006003707.tif 000002
【特許請求の範囲】
【請求項１】
白色発光体をバックライトにして、カラー画像を表示するＬＣＤパネルの表示制御装置であって、
前記ＬＣＤパネルの各画素毎の入力画像データの値を、白色発光体の発光特性及びＬＣＤパネルの発色特性の少なくとも１つに基づき補正するための補正情報を記憶する補正情報記憶部と、
前記補正情報に基づき、ＬＣＤパネルの各画素の入力画像データの値を補正する補正処理部と、
補正後の入力画像データに基づいてＬＣＤパネルを駆動する電圧を制御するＬＣＤドライバとを含むことを特徴とする表示制御装置。
【請求項２】
請求項１において、
前記補正情報記憶部は、
各画素の入力画像データの値を、白色発光体の発光特性及びＬＣＤパネルの発色特性の少なくとも１つに基づき補正するための補正情報を記憶したルックアップテーブルを含み、
前記補正処理部は、
各画素の入力画像データに対応した補正情報を前記ルックアップテーブルから読みだし、読み出した補正情報に基づき各画素毎の入力画像データの値を補正することを特徴とする表示制御装置。
【請求項３】
請求項１乃至２のいずれかにおいて、
前記入力画像データは各画素毎のＲＧＢデータであり、
前記補正情報記憶部は、
ＲＧＢのそれぞれの入力画像データに対応した補正情報を記憶し、
前記補正情報記憶部は、
前記補正情報に基づき各画素毎のＲＧＢデータの値を補正することを特徴とする表示制御装置。
【請求項４】
請求項１乃至３のいずれかにおいて、
前記補正情報記憶部は、
前記補正情報として、画素の位置又は画素が属するエリアに応じて異なる補正パターンの補正情報を記憶し、
前記補正処理部は、
各画素の位置又は画素が属するエリアに応じて使用する補正パターンを決定し、決定された補正パターンの補正情報を用いて、各画素の入力画像データの補正を行うことを特徴とする表示制御装置。
【請求項５】
請求項１乃至４のいずれかにおいて、
前記補正情報記憶部は、
前記補正情報として、画素の位置又は画素が属するエリアに応じて異なる補正パターンを記憶したルックアップテーブルを含み、
前記補正処理部は、
各画素の位置又は画素が属するエリアに応じて使用するルックアップテーブルを決定し、決定されたルックアップテーブルから補正情報を読み出して、各画素の入力画像データの補正を行うことを特徴とする表示制御装置。
【請求項６】
請求項１乃至５のいずれかにおいて、
前記補正情報記憶部は、
発光特性の異なる複数の白色発光体の特性に対応した複数の補正情報記憶し、
前記補正処理部は、
ＬＣＤパネルのバックライトとして使用される白色発光体の発光特性情報に基づき、使用する補正情報を決定することを特徴とする表示制御装置。
【請求項７】
請求項１乃至６のいずれかに記載の表示制御装置を含むことを特徴とするマイクロコンピュータ。
【請求項８】
請求項７に記載のマイクロコンピュータと、
前記マイクロコンピュータの処理対象となるデータの入力手段と、
前記マイクロコンピュータにより処理されたデータを出力するためのＬＣＤ出力手段とを含むことを特徴とする電子機器。
【発明の詳細な説明】
【技術分野】
【０００１】
本発明は、表示制御装置、マイクロコンピュータ及び電子機器に関する。
【背景技術】
【０００２】
携帯電話などの液晶表示装置のバックライトに使われている白色ＬＥＤの発光特性にはばらつきがある。例えば「赤、緑、青」の発光ダイオードの光の重ね合わせで「白色」を出している場合、各色の発光の色合いにばらつきがあり、特に「赤、緑」成分が強いとその重ねあわせが黄ばみのように感じる発光色あいになったりする。
【特許文献１】特開２００３−５８１２５号
【特許文献２】特開２００３−８９１１号
【発明の開示】
【発明が解決しようとする課題】
【０００３】
従来はかかる発光色合いのばらつきによる黄ばみ等は不良品として扱われたりするため、製品のコストが増加する一因となっていた。
【０００４】
本発明は以上のような問題点に鑑みてなされたものであり、白色発光体（ＬＥＤ）をバックライトにして、カラー画像を表示するＬＣＤパネルの表示制御装置において、白色発光体の発光特性及びＬＣＤパネルの発色特性の少なくとも１つに対応した補正が可能な表示制御装置、マイクロコンピュータ及び電子機器の提供を目的とする。
【課題を解決するための手段】
【０００５】
（１）本発明は、
白色発光体をバックライトにして、カラー画像を表示するＬＣＤパネルの表示制御装置であって、
前記ＬＣＤパネルの各画素毎の入力画像データの値を、白色発光体の発光特性及びＬＣＤパネルの発色特性の少なくとも１つに基づき補正するための補正情報を記憶する補正情報記憶部と、
前記補正情報に基づき、ＬＣＤパネルの各画素の入力画像データの値を補正する補正処理部と、
補正後の入力画像データに基づいてＬＣＤパネルを駆動する電圧を制御するＬＣＤドライバとを含むことを特徴とする。
【０００６】
ここで白色発光体とは例えば白色ＬＥＤ（Ｌｉｇｈｔ Ｅｍｉｔｔｉｎｇ Ｄｉｏｄｅ、発光ダイオードともいう）等である。
【０００７】
ＬＣＤ（液晶）パネル自体は発光しないので、透過型液晶の場合には白色発光体からの光を導光板を介してバックライトとして裏面より照射する。
【０００８】
入力画像データとは例えばコンピュータやメモリから受け取った、各画素単位のデータであり、例えばＲＧＢデータやＹＵＶデータ等である。
【０００９】
白色発光体（ＬＥＤ）の発光特性とは、発光光の照度や分光特性が一様ではなく、例えばＲＧＢ個々の発光特性のバラツキ等である。
【００１０】
またＬＣＤパネルの発色特性とは、パネル内の各画素毎に対応した偏光板を駆動する際の電圧が同じで色が均一にならないで色むらを生じたりすることに関する特性である。
【００１１】
例えば白色発光体（ＬＥＤ）の発光特性に応じた補正情報を生成する場合には、予めＬＣＤパネルに使用する白色発光体（ＬＥＤ）の色合いを測定して分類しておき、その分類毎に入力画像データに対応する色をＬＣＤパネルで表示する際に必要な補正情報を用意するようにしてもよい。
【００１２】
補正情報は、例えば入力画像データに対応した補正後の画像データとして持たせても良いし、入力画像データを補正するためのオフセット値や重み付け情報として持たせても良いし、入力画像データから補正後の画像データを導くための関数やテーブル情報として持たせても良い。
【００１３】
また補正処理部の機能はＬＣＤコントローラに実現させるようにしてもよいし、回路等のハードウエアで実現してもよいし、ソフトウエアで実現してもよい。
【００１４】
本発明によれば、ＬＣＤパネルの各画素毎の入力画像データの値を、白色発光体の発光特性及びＬＣＤパネルの発色特性の少なくとも１つに基づき補正するための補正情報を記憶し、前記補正情報に基づきＬＣＤパネルの各画素の入力画像データの値を補正して、ＬＣＤドライバは補正後の入力画像データに基づいてＬＣＤパネルを駆動する電圧を制御する。
【００１５】
従って発光特性のばらつきから生じる黄ばみ等を不良品として扱うことなく補正で対応可能であるため、製品のコストの増加を防止することができる。
【００１６】
（２）本発明の表示装置は、
前記補正情報記憶部は、
各画素の入力画像データの値を、白色発光体の発光特性及びＬＣＤパネルの発色特性の少なくとも１つに基づき補正するための補正情報を記憶したルックアップテーブルを含み、
前記補正処理部は、
各画素の入力画像データに対応した補正情報を前記ルックアップテーブルから読みだし、読み出した補正情報に基づき各画素毎の入力画像データの値を補正することを特徴とする。
【００１７】
（３）本発明の表示装置は、
前記入力画像データは各画素毎のＲＧＢデータであり、
前記補正情報記憶部は、
ＲＧＢのそれぞれの入力画像データに対応した補正情報を記憶し、
前記補正情報記憶部は、
前記補正情報に基づき各画素毎のＲＧＢデータの値を補正することを特徴とする。
【００１８】
（４）本発明の表示装置は、
前記補正情報記憶部は、
前記補正情報として、画素の位置又は画素が属するエリアに応じて異なる補正パターンの補正情報を記憶し、
前記補正処理部は、
各画素の位置又は画素が属するエリアに応じて使用する補正パターンを決定し、決定された補正パターンの補正情報を用いて、各画素の入力画像データの補正を行うことを特徴とする。
【００１９】
例えば補正する画素の位置や属するエリア（例えばＬＣＤパネルを複数のエリアに分割した場合の属するエリア）に応じて、そのエリア特有の色むらに応じた補正情報を用意すると、ＬＣＤパネルの色むらを補正することができる。
【００２０】
なおそのエリア特有の色むらと白色発光体の発光特性の両方を補正可能な補正情報を用意するようにしてもよい。
【００２１】
（５）本発明の表示装置は、
前記補正情報記憶部は、
前記補正情報として、画素の位置又は画素が属するエリアに応じて異なる補正パターンを記憶したルックアップテーブルを含み、
前記補正処理部は、
各画素の位置又は画素が属するエリアに応じて使用するルックアップテーブルを決定し、決定されたルックアップテーブルから補正情報を読み出して、各画素の入力画像データの補正を行うことを特徴とする。
【００２２】
（６）本発明の表示装置は、
前記補正情報記憶部は、
発光特性の異なる複数の白色発光体の特性に対応した複数の補正情報記憶し、
前記補正処理部は、
ＬＣＤパネルのバックライトとして使用される白色発光体の発光特性情報に基づき、使用する補正情報を決定することを特徴とする。
【００２３】
白色発光体の発光特性情報は、例えば製品出荷時に内部レジスタ等に記憶させて、当該レジスタ等を参照することにより使用する補正情報を決定するようにしてもよい。
【００２４】
本発明によれば発光特性が異なる白色発光体に対して汎用的に使用可能である。
【００２５】
（７）本発明は、上記のいずれかに記載の表示制御装置を含むことを特徴とするマイクロコンピュータである。
【００２６】
（８）本発明は、
上記に記載のマイクロコンピュータと、
前記マイクロコンピュータの処理対象となるデータの入力手段と、
前記マイクロコンピュータにより処理されたデータを出力するためのＬＣＤ出力手段とを含むことを特徴とする電子機器である。
【発明を実施するための最良の形態】
【００２７】
以下、本発明の好適な実施形態について図面を用いて詳細に説明する。
【００２８】
１．表示制御装置
図１は、本実施の形態の表示制御装置の特徴について説明するための図である。
【００２９】
ＬＣＤコントローラ２４０は、受け取った各画素毎の入力画像データ２５０に基づきドライバ駆動用の画像データ２４２をＬＣＤドライバ２３０に対し出力する。ＬＣＤドライバ２３０は受けとったドライバ駆動用の画像データ２４２に基づきＬＣＤパネル（液晶セル２２０）の各画素の液晶セル２２０にかける電圧を決定し、決定した電圧を各液晶セル２２０にかけて、液晶セル２２０の偏光板の傾きを制御することで入力画像データ２５０に対応した色を表示させる。
【００３０】
ここで、携帯電話などの液晶表示装置のバックライトに使われている白色ＬＥＤ２１０の各色Ｒ（赤）２１２、Ｇ（緑）２１４、Ｂ（青）２１６の発光特性にはばらつきがある場合がある。例えばＲ（赤）２１２、Ｇ（緑）２１４の成分が強いとその重ねあわせが黄ばみのように感じる発光色あいになったりする。
【００３１】
従来はかかる発光色合いのばらつきによる黄ばみ等は不良品として扱われたりするため、製品のコストが増加する一因となっていた。
【００３２】
本実施の形態では、白色ＬＥＤ２１０の色合いに合わせてＬＣＤＣ（Liquid Crystal Controller）に補正情報（例えばルックアップテーブル等に青色成分を多くして白色を改善したり、他の色を適正化したりするための補正値を持たせておく）を用意しておき、黄色みかかっている白色ＬＥＤ２１０の光２１２，２１４，２１６ＬＣＤパネル（液晶セル２２０）の透過時に補正（青色成分を多くして白色を改善したり、他の色を適正化したりする）ことで人２７０の受ける光（液晶セル２２０透過後の光２１２’，２１４’，２１６’）の印象を良くすることができる。
【００３３】
また本実施の形態では白色ＬＥＤの発光色合いに合わせて何パターンか補正情報（例えばルックアップテーブル等）を用意しておき、量産時に各製品の白色ＬＥＤの色あいを測定して、各製品に応じた補正情報を設定／選択するようにしてもよい。
【００３４】
図２は、本実施の形態の表示制御装置の構成について説明するための機能ブロック図である。
【００３５】
本実施の形態の表示制御装置１０は、図示しない白色発光体（ＬＥＤ）をバックライトにして、カラー画像を表示する液晶パネル５０の表示制御装置である。
【００３６】
ＬＣＤコントローラ２０は、液晶パネル５０の各画素毎の入力画像データの値を、白色発光体の発光特性及び液晶パネルの発色特性の少なくとも１つに基づき補正するための補正情報を記憶する補正情報記憶部として機能するＬＵＴ用ＲＯＭ３０を含み、補正情報に基づき、液晶パネル５０の各画素の入力画像データの値を補正する補正処理部として機能する。
【００３７】
ＬＣＤドライバ４０は、ＬＣＤコントローラ２０から補正後の入力画像データ２２を受け取り、当該入力画像データ２２基づいて各画素のＲＧＢ偏光板の駆動電圧４２を決定し、当該駆動電圧４２で液晶パネル５０を駆動する。
【００３８】
液晶パネル５０は、透過型液晶を用いて構成され、図示しない白色発光体からの光を導光板を介してバックライトとして裏面より照射する。ここで白色発光体とは例えば白色ＬＥＤ（Ｌｉｇｈｔ Ｅｍｉｔｔｉｎｇ Ｄｉｏｄｅ、発光ダイオードともいう）等である。
【００３９】
ＬＣＤコントローラ２０は、各画素毎の入力画像データ６２の値を、白色発光体（ＬＥＤ）の発光特性及び液晶パネルの発色特性の少なくとも１つに基づき補正するための補正情報を記憶したルックアップテーブル用のＲＯＭ３０を含み、各画素の入力画像データに対応した補正情報をルックアップテーブルから読みだし、読み出した補正情報に基づき各画素毎の入力画像データの値を補正するように構成することができる。
【００４０】
なお複数の特性の異なる白色発光体の特性に対応した複数の補正情報（例えば複数の特性の異なる白色発光体の特性に対応した補正情報を記憶した複数のルックアップテーブル３２，３４，３６）を用意しておき、白色発光体の特性情報（例えば選択信号３８）に基づき使用する補正情報（例えばルックアップテーブル）を決定するようにしてもよい。
【００４１】
ここで入力画像データ６２は各画素毎のＲＧＢデータであり、ＬＣＤコントローラ２０は白色発光体（ＬＥＤ）の発光特性及び液晶パネルの発色特性の少なくとも１つに基づき各画素毎のＲＧＢデータを補正するようにしてもよい。
【００４２】
図３は本実施の形態の液晶パネルの電圧制御について説明するための図である。
【００４３】
本実施の形態の液晶パネルは縦横に規則的に並ぶ複数の画素３１０−１，・・・に対応した色を表示するもので、各画素毎にＲＧＢそれぞれの光の透過を制御する偏光板３１２−１、３１４２−１、３１６−１を含む。
【００４４】
各偏光板３１２−１、３１４２−１、３１６−１の傾きは、各画素ＲＧＢの値に基づきＬＣＤドライバ４０がかける電圧によって制御される。
【００４５】
図４は本実施の形態の補正情報の一例について説明するための図である。
【００４６】
本実施の形態では各画素毎の入力画像データの値を、白色発光体（ＬＥＤ）の発光特性に基づき補正するための補正情報を記憶したルックアップテーブル３５０、３６０，３７０を含み、各画素の入力画像データに対応した補正情報をルックアップテーブル３５０、３６０，３７０から読みだし、読み出した補正情報に基づき各画素毎の入力画像データ（ＲＧＢデータ）の値を補正する処理を行う。
【００４７】
３５０は、Ｒ（赤）用補正情報が記憶されたルックアップテーブルであり、入力画像データ（Ｒ）３５２に対応した補正情報２５４が記憶されている。入力画像データ（Ｒ）３５２は８ビットであらわされるので、その取りうる範囲は、０〜２５５になる。本実施の形態では、０〜２５５の各入力画像データ（Ｒ）３５２に対応した補正後の画像データ（Ｒ）が補正情報（Ｒ）３５４として記憶されている。例えば入力画像データ（Ｒ）３５２が”２５４”であった場合、ルックアップテーブル３５０から、対応する補正情報（Ｒ）３５４である”２５０”を読み出し、補正後の入力画像データ（Ｒ）とする。
【００４８】
これにより入力画像データの値より小さな値に補正されるが、例えば赤の発光が他の色の発光に比べて強いという発光特性がある場合には、かかる補正を行うことにより、他の色とのバランスをとることができる。
【００４９】
３６０は、Ｇ（緑）用補正情報が記憶されたルックアップテーブルであり、入力画像データ（Ｇ）３６２に対応した補正情報２６４が記憶されている。入力画像データ（Ｇ）３６２は８ビットであらわされるので、その取りうる範囲は、０〜２５５になる。本実施の形態では、０〜２５５の各入力画像データ（Ｇ）３６２に対応した補正後の画像データ（Ｇ）が補正情報（Ｇ）３６４として記憶されている。例えば入力画像データ（Ｇ）３６２が”２５４”であった場合、ルックアップテーブル３６０から、対応する補正情報（Ｇ）３６４である”２５０”を読み出し、補正後の入力画像データ（Ｇ）とする。
【００５０】
これにより入力画像データの値より小さな値に補正されるが、例えば緑の発光が他の色の発光に比べて強いという発光特性がある場合には、かかる補正を行うことにより、他の色とのバランスをとることができる。
【００５１】
３７０は、Ｂ（青）用補正情報が記憶されたルックアップテーブルであり、入力画像データ（Ｂ）３７２に対応した補正情報２７４が記憶されている。入力画像データ（Ｂ）３７２は８ビットであらわされるので、その取りうる範囲は、０〜２５５になる。本実施の形態では、０〜２５５の各入力画像データ（Ｂ）３７２に対応した補正後の画像データ（Ｂ）が補正情報（Ｂ）３７４として記憶されている。例えば入力画像データ（Ｂ）３７２が”２５４”であった場合、ルックアップテーブル３７０から、対応する補正情報（Ｂ）３７４である”２５５”を読み出し、補正後の入力画像データ（Ｂ）とする。
【００５２】
これにより入力画像データの値より大きな値に補正されるが、例えば青の発光が他の色の発光に比べて弱いという発光特性がある場合には、かかる補正を行うことにより、他の色とのバランスをとることができる。
【００５３】
図５は、本実施の形態の表示制御装置の変形例について説明するための機能ブロック図である。
【００５４】
変形例の表示制御装置１０’は、図示しない白色発光体（ＬＥＤ）をバックライトにして、カラー画像を表示する液晶パネル５０の表示制御装置である。
【００５５】
ＬＣＤコントローラ２０’は、液晶パネル５０の各画素毎の入力画像データの値を、白色発光体の発光特性及び液晶パネルの発色特性の少なくとも１つに基づき補正するための補正情報を記憶する補正情報記憶部として機能するＬＵＴ用フラッシュＲＯＭ７０を含み、補正情報に基づき、液晶パネル５０の各画素の入力画像データの値を補正する補正処理部として機能する。
【００５６】
ＬＣＤドライバ４０は、ＬＣＤコントローラ２０’から補正後の入力画像データ２２を受け取り、当該入力画像データ２２基づいて液晶パネル５０を駆動する。
【００５７】
液晶パネル５０は、透過型液晶を用いて構成され、図示しない白色発光体からの光を導光板を介してバックライトとして裏面より照射する。ここで白色発光体とは例えば白色ＬＥＤ（Ｌｉｇｈｔ Ｅｍｉｔｔｉｎｇ Ｄｉｏｄｅ、発光ダイオードともいう）等である。
【００５８】
ＬＣＤコントローラ２０’は、各画素毎の入力画像データ６２の値を、白色発光体（ＬＥＤ）の発光特性に基づき補正するための補正情報を書き換え可能に記憶できるフラッシュＲＯＭ７０を含み、各画素の入力画像データに対応した補正情報をフラッシュＲＯＭ７０のルックアップテーブル７２から読みだし、読み出した補正情報に基づき各画素毎の入力画像データの値を補正するように構成することができる。
【００５９】
ここでフラッシュＲＯＭ７０のルックアップテーブル７２には、当該表示制御装置とともに組み込まれる図示しない白色発光体（ＬＥＤ）の発光特性に応じた補正情報８０が書き込まれる。
【００６０】
例えば予めＬＣＤパネル（液晶パネル）５０のバックライトとして使用する白色発光体の色合いを測定・分類して、各分類に対応した補正情報を用意しておき、製品出荷時にパネルに組み込まれた白色発光体の分類に対応した補正情報をフラッシュＲＯＭ７０のルックアップテーブル７２に書き込むようにしてもよい。
【００６１】
このようにすると１パターンの補正情報を記憶させるだけでよいのでメモリの節約になる。
【００６２】
上記実施の形態ではおもに白色発光体の特性に応じた補正を行う構成についてのべてきたので、補正情報はＬＣＤパネルのすべての画素に対して１パターンのみ用意する場合を例にとり説明が是に限られない。
【００６３】
例えば補正する画素の位置や属するエリア（例えばＬＣＤパネルを複数のエリアに分割した場合の属するエリア）に応じて異なる補正パターンを用意するようにしてもよい。このようにすると、ＬＣＤパネルの色むらを補正することができる。
【００６４】
図６（Ａ）（Ｂ）は、本実施の形態を適用したＬＣＤパネルの色むら補正について説明するための図である。
【００６５】
図６（Ａ）は、ＬＣＤパネル４００が補正対象エリア４１０と非補正エリア４２０で構成されている例である。この場合補正情報は、補正対象エリアについて１パターン用意するようにしてもよい（なお補正対象エリアについて複数のパターンの補正を用意しておき、選択して使用するようにしてもよい）。
【００６６】
このような場合例えば画素Ｐ１のように非補正エリア４２０に属する画素の入力画像データについては補正を行わないが、例えば画素Ｐ２のように補正対象エリア４１０に属する画素の入力画像データについては用意されている補正情報に基づき補正を行う。
【００６７】
例えばＬＣＤパネルの中で色むらが発生する画素を含むエリアを補正対象エリア４１０として設定して、色むらを補正するための補正情報を記憶させておくことにより、ＬＣＤパネルの色むらを補正することができる。
【００６８】
図６（Ｂ）は、ＬＣＤパネル４００が第１のエリア４３０、第２のエリア４４０、第３のエリア４５０の３つの補正対象エリアで構成されている例である。この場合各エリア４３０，４４０，４５０に対応した第１の補正情報、第２の補正情報、第３の補正情報を少なくとも１パターン用意する。
【００６９】
このような場合例えば画素Ｐ３のように第１のエリア４３０に属する画素については第１の補正情報に基づき補正を行い、例えば画素Ｐ４のように第２のエリア４４０に属する画素については第２の補正情報に基づき補正を行い、例えば画素Ｐ５のように第３のエリア４５０に属する画素については第３の補正情報に基づき補正を行う。
【００７０】
このようにすることによりエリア毎に異なる発色特性による色むらを補正することができる。なお第１の補正情報、第２の補正情報、第３の補正情報として白色発光体の発光特性も同時に補正可能な情報を用意するようにしてもよい。
【００７１】
また異なる発光特性を有する白色発光体に対応して第１の補正情報、第２の補正情報、第３の補正情報を複数持たせるようにしてもよい。
【００７２】
図７は本実施の形態の表示制御装置の製造方法の一例について説明するための図である。
【００７３】
まず予めＬＣＤパネルに使用する白色発光体（ＬＥＤ）の色合いを測定して分類しておき、その分類毎にＬＵＴ（ルックアップテーブル）を用意する（ステップＳ１０）。
【００７４】
次に分類した白色発光体（ＬＥＤ）をパネルを組み込む（ステップＳ２０）。
【００７５】
次に分類した白色発光体（ＬＥＤ）に適したＬＵＴ（ルックアップテーブル）を参照して入力画像データの補正を行うように処理をする（ステップＳ３０）。例えば、分類すべてのＬＵＴ（ルックアップテーブル）を補正情報として記憶させて、該当する補正情報を選択して使用するようにしてもよいし、予め該当する分類の補正情報を選択して記憶させて、それを用いて補正を行うようにしてもよい。
【００７６】
２．マイクロコンピュータ
図８は、本実施の形態のマイクロコンピュータのハードウエアブロック図の一例である。
【００７７】
本マイクロコンピュータ７００は、ＣＰＵ５１０、キャッシュメモリ５２０、ＬＣＤコントローラ５３０、リセット回路５４０、プログラマブルタイマ５５０、リアルタイムクロック（ＲＴＣ）５６０、ＤＲＡＭコントローラ兼バスＩ／Ｆ５７０、割り込みコントローラ５８０、シリアルインターフェース５９０、バスコントローラ６００、Ａ／Ｄ変換器６１０、Ｄ／Ａ変換器６２０、入力ポート６３０、出力ポート６４０、Ｉ／Ｏポート６５０、クロック発生装置５６０、プリスケーラ５７０及びそれらを接続する汎用バス６８０、専用バス７３０等、各種ピン６９０等を含む。
【００７８】
ＬＣＤコントローラ５３０は、例えば図２や図５で説明した構成を有する。
【００７９】
３．電子機器
図９に、本実施の形態の電子機器のブロック図の一例を示す。本電子機器８００は、マイクロコンピュータ（またはＡＳＩＣ）８１０、入力部８２０、メモリ８３０、電源生成部８４０、ＬＣＤ８５０、音出力部８６０を含む。
【００８０】
ここで、入力部８２０は、種々のデータを入力するためのものである。マイクロコンピュータ８１０は、この入力部８２０により入力されたデータに基づいて種々の処理を行うことになる。メモリ８３０は、マイクロコンピュータ８１０などの作業領域となるものである。電源生成部８４０は、電子機器８００で使用される各種電源を生成するためのものである。ＬＣＤ８５０は、電子機器が表示する各種の画像（文字、アイコン、グラフィック等）を出力するためのものである。  音出力部８６０は、電子機器８００が出力する各種の音（音声、ゲーム音等）を出力するためのものであり、その機能は、スピーカなどのハードウェアにより実現できる。
【００８１】
図１０（Ａ）に、電子機器の１つである携帯電話９５０の外観図の例を示す。この携帯電話９５０は、入力部として機能するダイヤルボタン９５２や、電話番号や名前やアイコンなどを表示するＬＣＤ９５４や、音出力部として機能し音声を出力するスピーカ９５６を備える。
【００８２】
図１０（Ｂ）に、電子機器の１つである携帯型ゲーム装置９６０の外観図の例を示す。この携帯型ゲーム装置９６０は、入力部として機能する操作ボタン９６２、十字キー９６４や、ゲーム画像を表示するＬＣＤ９６６や、音出力部として機能しゲーム音を出力するスピーカ９６８を備える。
【００８３】
図１０（Ｃ）に、電子機器の１つであるパーソナルコンピュータ９７０の外観図の例を示す。このパーソナルコンピュータ９７０は、入力部として機能するキーボード９７２や、文字、数字、グラフィックなどを表示するＬＣＤ９７４、音出力部９７６を備える。
【００８４】
本実施の形態のマイクロコンピュータを図１０（Ａ）〜図１０（Ｃ）の電子機器に組みむことにより、低価格で画像処理速度の速いコストパフォーマンスの高い電子機器を提供することができる。
【００８５】
なお、本実施形態を利用できる電子機器としては、図１０（Ａ）、（Ｂ）、（Ｃ）に示すもの以外にも、携帯型情報端末、ページャー、電子卓上計算機、タッチパネルを備えた装置、プロジェクタ、ワードプロセッサ、ビューファインダ型又はモニタ直視型のビデオテープレコーダ、カーナビゲーション装置等のＬＣＤを使用する種々の電子機器を考えることができる。
【００８６】
なお、本発明は本実施形態に限定されず、本発明の要旨の範囲内で種々の変形実施が可能である。
【図面の簡単な説明】
【００８７】
【図１】本実施の形態の表示制御装置の特徴について説明するための図である。
【図２】本実施の形態の表示制御装置の構成について説明するための機能ブロック図である。
【図３】本実施の形態の液晶パネルの電圧制御について説明するための図である。
【図４】本実施の形態の補正情報の一例について説明するための図である。
【図５】本実施の形態の表示制御装置の変形例について説明するための機能ブロック図である。
【図６】図６（Ａ）（Ｂ）は、本実施の形態を適用したＬＣＤパネルの色むら補正について説明するための図である。
【図７】本実施の形態の表示制御装置の製造方法の一例について説明するための図である。
【図８】本実施の形態のマイクロコンピュータのハードウエアブロック図の一例である。
【図９】マイクロコンピュータを含む電子機器のブロック図の一例を示す。
【図１０】図１０（Ａ）（Ｂ）（Ｃ）は、種々の電子機器の外観図の例である。
【符号の説明】
【００８８】
２  表示制御装置、２０  ＬＣＤコントローラ、３０  ＬＵＴ用ＲＡＭ、４０  カラーＬＣＤドライバ、４２  駆動電圧、５０  液晶パネル、６０  マイコン、ＳＲＡＭ等、６２  入力画像データ、５１０  ＣＰＵ、５３０  ＬＣＤコントローラ、５４０  リセット回路、５５０  プログラマブルタイマ、５６０  リアルタイムクロック（ＲＴＣ）、５７０  ＤＲＡＭコントローラ兼バスＩ／Ｆ、５８０  割り込みコントローラ、５９０  シリアルインターフェース、６００  バスコントローラ、６１０  Ａ／Ｄ変換器、６２０  Ｄ／Ａ変換器、６３０  入力ポート、６４０  出力ポート、６５０  Ｉ／Ｏポート、６６０  クロック発生装置（ＰＬＬ）、６７０  プリスケーラ、６８０  汎用バス、６９０  各種ピン、７００  マイクロコンピュータ、７１０  ＲＯＭ、７２０  ＲＡＭ、７３０  ＭＭＵ、８００  電子機器、８５０  ＬＣＤ
【図１】
2006003707.tif 000003
【図２】
2006003707.tif 000004
【図３】
2006003707.tif 000005
【図４】
2006003707.tif 000006
【図５】
2006003707.tif 000007
【図６】
2006003707.tif 000008
【図７】
2006003707.tif 000009
【図８】
2006003707.tif 000010
【図９】
2006003707.tif 000011
【図１０】
2006003707.tif 000012